(57)【要約】【課題】本発明の課題は、読み取り精度の高いバーコードを記録することができる画像記録装置及び画像形成装置を得ることである。【解決手段】互いに間隔をあけて形成された複数のバーＢからなるバーコードＣの画像データを記憶した記憶部１５と、この記憶部１５に記憶された画像データのバーコードＣの形状を変換する変換部１７と、この変換部１７によって変換されたバーコードＣ１の画像データを記録する記録部１１とを備えた画像記録装置であって、変換部１７は、バーＢの側端の一部に複数の空白部Ｅが形成される様に、画像データのバーＢを構成する画素を間引いて、バーＢをその幅の一部を狭くした形状に形成する。【選択図】図１
2008201057.tif 000002
【特許請求の範囲】
【請求項１】
互いに間隔をあけて形成された複数のバーからなるバーコードの画像データを記憶した記憶部と、この記憶部に記憶された画像データのバーコードの形状を変換する変換部と、この変換部によって変換されたバーコードの画像データを記録する記録部とを備えた画像記録装置であって、
変換部は、バーの側端の一部に複数の空白部が形成される様に、画像データのバーを構成する画素を間引いて、バーをその幅の一部を狭くした形状に形成することを特徴とする画像記録装置。
【請求項２】
変換部は、複数の空白部の少なくとも一つの長さを、バーコードを読み取る読取装置におけるバー長さ方向の読取範囲よりも大きくすることを特徴とする請求項１に記載の画像記録装置。
【請求項３】
変換部は、複数の空白部の少なくとも一つの長さを、バーコードを読み取る読取装置におけるバーの長さ方向の読取範囲よりも小さくすることを特徴とする請求項１又は２に記載の画像記録装置。
【請求項４】
変換部は、バーの長さ方向に沿って空白部を周期的に形成することを特徴とする請求項１乃至３の何れかに記載の画像記録装置。
【請求項５】
像担持体の静電潜像をトナーによって現像した後に、記録媒体に転写する画像形成装置において、
請求項１乃至４の何れか１項に記載の画像記録装置を備え、この画像読取装置の記録部は、帯電した像担持体上に対し、変換部によって変換された画像データに基づいた走査露光を行って、像担持体に静電潜像を形成することを特徴とする画像形成装置。
【発明の詳細な説明】
【技術分野】
【０００１】
本発明は、画像データに基づいた画像を記録する画像記録装置及びこれを用いた複写機、プリンタ、ファクシミリ或いはこれらの複合機等の画像形成装置に関する。
【背景技術】
【０００２】
各種の業界において商品管理や在庫管理などに商品や製品を識別する為の情報を所定の表示範囲でバーコード化することが広く行なわれており、更に多くの情報をコード化する技術開発が期待されている。バーコードを印刷する画像記録装置に対してもできるだけ多くの情報を小さな画像で出力できる様記録精度(バーの幅やピッチの精度)の向上が期待されている。
【０００３】
図１０は近年、物流などに広く利用されているいわゆるＥＡＮ１２８バーコードである。このＥＡＮ１２８バーコードは、図１１に示す線幅の異なる４種類の黒線(これはバーと呼ばれる)と白線(これはスペースと呼ばれる)とで構成される。一番幅の狭いものをモジュールと呼び、バーコードの基本単位となる、他の３種類の広いバーとスペースはモジュールのそれぞれ２倍、３倍、４倍の幅を持つ。これらのバーとスペースを３本ずつ組合せて１文字分の情報を表している。
【０００４】
一般に、ＥＡＮ１２８の読取幅は、モジュール幅とデータ桁数(情報量)によって大きく変化するので、読取幅をよく検討しなければならない。ＥＡＮ１２８(コード１２８)の標準（ＪＩＳ  Ｘ  ０５０４）によれば左右の余白を含む数字４８桁のバーコード長は、モジュール幅0.169ｍｍのとき57.7ｍｍ、モジュール幅0.254ｍｍのとき86.6ｍｍで有る。モジュール幅が小さければ小さな対象物にも記録は可能であるが高精度かつ高解像な記録が必要となる。また、モジュール幅を大きくすれば画像記録装置に対する要求精度は下がるが小さな対象物に記録ができなくなると共に情報を読み取るバーコードリーダも広幅読取が可能で高価なものが必要となってしまう。従って、画像記録装置を用いてバーコードを印刷するプリンタ等の画像形成装置にも高い精度が要求されてきている（例えば、特許文献１参照）。
【０００５】
バーコードの記録には専用のプリンタを用いる場合もあるが、一般オフィスで使用されているレーザプリンタなどもバーコード記録に利用されることが多い。この様なレーザプリンタの記録密度は６００ｄｐｉが一般的であり、上記のモジュール幅0.169ｍｍバーコードを記録する場合にはモジュールは４ドットの幅に相当する。ただし、レーザプリンタは文字の可読性などの点から黒線が太く再現される。そのためバーコード作成のソフトウェアには時にバー幅とスペース幅に補正を加える機能があり、バーとスペースを構成するドット数をバーは３ドット、スペースは５ドットにすることも可能である（この補正はバーとスペースのドット数の和は一定とし、バーのドット数を減らした場合には、スペースのドット数を同じだけ増やすのが一般的であり、バーは２ドット、スペースは６ドットなどとすることも可能である。）。
【０００６】
また、標準のバー幅として「黒バー」を４ドット分印字するとき、標準の印刷用紙に印刷した場合、インクのにじみ易い印刷用紙に印刷した場合、又は、インクのにじみ難い印刷用紙に印刷した場合において、印刷された４ドット分のバー幅は異なる。従って、インクのにじみ易い印刷用紙、又は、インクのにじみ難い印刷用紙に印刷されたバー幅を、標準の印刷用紙のバー幅となるように３ドット分として補正して印刷する技術が知られている（特許文献２参照）。尚、この機能は１ドット単位（６００ｄｐｉのプリンタの場合は42.3μｍ）での補正しかできない様になっている。
【０００７】
【特許文献１】特開２００６−０５６１７３号公報
【特許文献２】特開２００３−０４８３４２号公報
【発明の開示】
【発明が解決しようとする課題】
【０００８】
ところで、レーザプリンタは環境変動や現像材の劣化などにより現像特性が変化し、記録されるラインの幅が変化することがある。この劣化は目視した場合の劣化にもなるが、線幅や線のピッチが重要な品質項目であるバーコードなどの符号化画像の品質に大きく影響し、読み取り精度の低下の原因にもなる。この為、読み取り精度の高いバーコードが望まれていた。
【０００９】
本発明は、読み取り精度の高いバーコードを記録することができる画像記録装置及びこれを用いた画像形成装置を得ることを目的とする。
【課題を解決するための手段】
【００１０】
前記課題を解決する為に、請求項１に記載された発明は、互いに間隔をあけて形成された複数のバーからなるバーコードの画像データを記憶した記憶部と、この記憶部に記憶された画像データのバーコードの形状を変換する変換部と、この変換部によって変換されたバーコードの画像データを記録する記録部とを備えた画像記録装置であって、変換部は、バーの側端の一部に複数の空白部が形成される様に、画像データのバーを構成する画素を間引いて、バーをその幅の一部を狭くした形状に形成することを特徴とする。
【００１１】
請求項２に記載された発明は、請求項１に記載された発明において、変換部は、複数の空白部の少なくとも一つの長さを、バーコードを読み取る読取装置におけるバー長さ方向の読取範囲よりも大きくすることを特徴とする。
【００１２】
請求項３に記載された発明は、請求項１又は２に記載された発明において、変換部は、複数の空白部の少なくとも一つの長さを、バーコードを読み取る読取装置におけるバーの長さ方向の読取範囲よりも小さくすることを特徴とする。
【００１３】
請求項４に記載された発明は、請求項１乃至３の何れか１項に記載された発明において、変換部は、バーの長さ方向に沿って空白部を周期的に形成することを特徴とする。
【００１４】
請求項５に記載された発明は、像担持体の静電潜像をトナーによって現像した後に、記録媒体に転写する画像形成装置において、請求項１乃至４の何れか１項に記載の画像記録装置を備え、この画像読取装置の記録部は、帯電した像担持体上に対し、変換部によって変換された画像データに基づいた走査露光を行って、像担持体に静電潜像を形成することを特徴とする画像形成装置である。
【発明の効果】
【００１５】
本発明によれば、記録部は、変換部によって長さ方向において複数の空白部が形成されたバーからなるバーコードに変換された画像データに基づいて、バーコードを記録するので、このバーコードは、そのバーの幅が最初から変化している状態になっている。このため、画像形成装置の現像特性の変化等によりバーコードのバーの幅が、元の幅とは異なった状態で記録された場合であっても、その影響を受け難くすることができ、結果的に読み取り精度の高いバーコードを記録することができる。
【発明を実施するための最良の形態】
【００１６】
以下、添付図面を参照して、本発明の実施の形態を詳細に説明する。図１は本発明の実施の形態に係る画像記録装置を示す構成図である。図１に示す様に、画像記録装置１０は、感光体ドラム（像担持体）８を有するプリンタ（画像形成装置）内に設けられており、帯電した感光体ドラム８に対し、画像データに基づいた走査露光を行って、感光体ドラム８に静電潜像を形成するものである。
【００１７】
尚、プリンタには、感光体ドラム８を帯電する帯電装置、感光体ドラム８の静電潜像にトナーを供給してトナー像として現像する現像装置、感光体ドラム８のトナー像を用紙等の記録媒体に転写する転写装置、記録媒体に転写されたトナー像を定着する定着装置等が設けられているが、図１においてこれらの図示は省略する。
【００１８】
画像記録装置１０は、帯電した感光体ドラム８に画像データに基づく静電潜像を記録する記録部１１と、記録部１１に画像データ（画像信号）を発して、記録部１１に感光対ドラム８に対する書き込みを行わせる等の制御を行うＣＰＵ等の制御部１３と、画像データを記憶したメモリ等の記憶部１５とを備えている。
【００１９】
記録部１１は、変調制御可能な発光源を有する半導体レーザ１と、半導体レーザ１からのレーザを集光するカップリングレンズ２と、周面に複数の反射面５Ａを有し、レーザビームを偏向走査する回転多面鏡であるポリゴンミラー５と、ポリゴンミラー５からのレーザビームを極小スポットとして絞り込む結像レンズ群６と、結像レンズ群６からのレーザビームを感光体ドラム８に向けて折り返す様にして案内する折り返しミラー７とを有している。
【００２０】
この記録部１１においては、制御部１３からの画像データに応じて変調された半導体レーザ１からのレーザは、カップリングレンズ２にて集光され、光学素子４を経て、ポリゴンミラー５の反射面５Ａに入射する。ポリゴンミラー５はモータにより回転駆動されている為、反射面５Ａにより反射されたレーザビームは、結像レンズ群６、折り返しミラー７を介して感光体ドラム８上を走査露光する。この走査露光により、円周方向に回転駆動されている帯電した感光体ドラム８上には、レーザスポットにより２次元走査され画像データに応じた静電潜像が形成される様になっている。尚、感光体ドラム８の静電潜像は、現像装置によりトナーを付着させられてトナー像として現像された後、このトナー像を転写装置により記録媒体に転写され、定着装置により定着することにより記録媒体に画像が形成される。
【００２１】
記憶部１５には、各種画像の画像データが記憶されるが、本実施の形態では、ＥＡＮ１２８バーコード（図１０参照）の画像データが複数記憶されている。この記憶部１５に記憶された画像データに基づいた静電潜像が、感光体ドラム８に記録（形成）される様になっている。
【００２２】
図２は記憶部１５に記憶された画像データの基となるバーコードと読み取りスポットとの関係を示す図である。この図２には、４ドット幅のモジュールによるバーコードＣの記録パターンを示している。すなわち、図２に示すバーコードＣは、縦に複数個並んだ画素が横に連続して４列配置されてなる黒線である複数のバーＢと、これらのバーＢ間のスペース（白又は印字していない部分）Ｓとからなる縞模様のパターンであり、バーコードＣのバーＢは、バーコードリーダの走査方向（横方向）に４つの画素（４ドット）分の幅を有し、走査方向において隣り合うバーＢ間のスペースＳも、その幅が４ドットになっている。このパターンに数字やその他の文字・記号を置き換えたもので、バーコードリーダによって読み取られた後、解読させるものである。
【００２３】
この様なバーコードを読み取るバーコードリーダとしては、例えば、図７（ａ）に示すマニュアルスキャン方式、図７（ｂ）に示すレーザスキャン方式、及び図７（ｃ）に示すＣＣＤスキャン方式のものが挙げられる。
【００２４】
図７（ａ）のマニュアルスキャン方式のバーコードリーダＲ１は、ＬＥＤ（光源）の光をレンズによりスポット状に絞り込んだビームである読み取りスポット（照明スポット）をバーコードに対して照射し、バーコードリーダＲ１を人が移動させることで、バーコード上を走査させ、その反射光を光センサ（受光素子）で受光することによって、バーコードを読み取る方式である。
【００２５】
また、図７（ｂ）のレーザスキャン方式のバーコードリーダＲ２は、半導体レーザ（光源）の光をスポット状に絞り込んだ読み取りスポットを、回転ミラーによってバーコード上に対して走査し、その反射光を光センサで受光することによって、バーコードを読み取る方式である。
【００２６】
更に、図７（ｃ）のＣＣＤスキャン方式のバーコードリーダＲ３は、複数のＬＥＤの光で線状に形成された照射光をバーコードに照射し、反射光をアレイ上のリニアＣＣＤに結像させて、バーコードを読み取る方式である。
【００２７】
図２に示す読み取りスポットＰは、図７（ａ）、（ｂ）に示すマニュアルスキャン又はレーザスキャン方式による読み取りスポットＰである。図２を見ても明らかな様に、読み取りスポットＰは、その高さ方向（バーＢの長さ方向）において、５ドット分程度の直径（例えば、１００μｍ〜数１００μｍ程度）に設定されており、バーコードリーダＲ１、Ｒ２においては、この読み取りスポットＰの範囲でバーコードＣを読み取る様になっている。
【００２８】
本実施の形態では、記憶部１５には、上述の図２に示すバーコードＣの符号化データである画像データが複数記憶されている。そして、記録媒体にバーコードを印刷（記録）する際には、印刷したいバーコードに対応する画像データが記憶部１５から制御部１３によって読み出され、この読み出された画像データは、後述する変換部１７の所定の画像データに変換され、この変換された画像データが半導体レーザ１に発せられることにより、変換された画像データに基づいた静電潜像が感光体ドラム８に形成される様になっている。
【００２９】
制御部１３は、使用者の操作等による記録媒体への印刷指令があったときに、記憶部１５に記憶されたバーコードの画像データを所定の画像データに変換する変換部１７を備えている。すなわち、変換部１７は、記憶部１５に記憶されている図２に示すバーコードＣのバーＢの長さ方向におけるエッジの一部に複数の空白部が形成される様に、このバーＢのエッジを構成する縦列の画素を間引くことにより、図２に示すバーコードＣのバーＢを、図３（ａ）、（ｂ）に示すバーＢ１、Ｂ２の形状に変換することにより、バーコードＣの画像データをバーコードＣ１、Ｃ２の画像データに変換する様になっている。
【００３０】
具体的には、図３（ａ）のバーコードＣ１は、図２に示すバーコードＣの４つの縦列の画素のうち、一番右側の縦列の画素（バーコードＣの右側端（エッジ）を構成する縦列の画素）を、バーコードＣの長さ方向に沿って１つおきに間引くことにより、１ドットおきに空白部Ｅ１が形成された形状になっている。これにより、バーコードＣ１の幅（線幅）は、上から１ドットおきに３ドット分の幅と、４ドット分の幅とが交互に並んでいる。
【００３１】
一方、図３（ｂ）のバーコードＣ２は、図２に示すバーコードＣの４つの縦列の画素のうち、一番右側の縦列の画素を（バーコードＣの右側端を構成する画素）、１ドット分の画素と２ドット分の空白部Ｅ２とが交互に並んだ形状となる様に間引くことにより形成されている。これにより、バーコードＣ２の幅は、上から順に、１つの４ドット分の幅と２つの３ドット分の幅とがこの順序で繰り返し並んでいる。
【００３２】
このように、本実施の形態では、バーコードＣ１の空白部Ｅ１の長さが１ドット分であり、バーコードＣ２の長さが２ドット分であり、これらの空白部Ｅ１、Ｅ２の長さを、バーコードリーダＲ１、Ｒ２の読み取りスポットＰの直径（読み取りスポット高さ）Ｈよりも小さくしており、バーコードリーダＲ１、Ｒ２の読み取りスポットＰの範囲内、即ちバーコードリーダＲ１、Ｒ２の解像度よりも細かな段階で、バーＢ１、Ｂ２の幅が複数個所で異なるようにして、高画質なバーコードＣ１、Ｃ２の記録を可能にしている。
【００３３】
また、変換部１７には、上述した様なバーコードの画像データの変換を行うプログラムが格納されている。具体的には、記憶部１５に記憶されたバーコードＣの画像データを認識する認識ステップと、この認識ステップにより認識したバーコードＣを予め定めた形状のバーコードＣ１、Ｃ２になる様に、そのバーコードＣを構成する複数の縦列の画素のうち、少なくとも一方の側端側の画素を間引く画素間引きステップと、この画素間引きステップによって形成されたバーコードＣ１、Ｃ２の画像データを作成して、記憶部１５に記憶されたバーコードＣの画像データを、バーコードＣ１、Ｃ２の画像データに変換する変換ステップとを備えているプログラムが格納（インストール）されており、変換部１７はこの格納されたプログラムによって、画像データの変換を行う様になっている。
【００３４】
尚、上述のプログラムを変換部１７に予め格納する代わりに、このプログラムをフレキシブルディスクやＣＤ−ＲＯＭ等の記録媒体に格納する様にしても良い。この場合、変換部１７は、記録媒体から上述のプログラムを読み出し、この読み出したプログラムによって画像データの変換を行う。
【００３５】
図４は記録媒体にバーコードを記録する際の制御部による制御の流れを示すフローチャートである。この図４のフローチャートの説明にあたり、図２に示すバーコードＣを図３（ａ）に示すバーコードＣ１に変換する場合を例にとって説明する。
【００３６】
プリンタにおいて、用紙（記録媒体）にバーコードを記録（印刷）する際には、使用者がプリンタの操作部或いはプリンタと接続されているパソコンの操作部等を操作して、印刷したいバーコードＣを選択し、この選択したバーコードＣを印刷する旨の信号を制御部１３に送信する。この信号を受けた制御部１３は、先ず、記憶部１５から受けた信号に対応するバーコードＣの画像データを読み出す（ステップＳ１及びステップＳ２）。
【００３７】
次に、制御部１３は、変換部１７に、読み出したバーコードＣの形状をバーコードＣ１に変換させることにより、バーコードＣの画像データを、図３（ａ）に示すバーコードＣ１の画像データに変換させた後、この変換した画像データを記録部１１に出力する（ステップＳ３及びステップＳ４）。その後、記録部１１が、制御部１３から受けた画像データに基づく静電潜像を感光体ドラム８に形成することにより、この静電潜像がトナー像として現像され、このトナー像が用紙に転写され、定着されて、記録媒体に変換部１７によって変換された画像データに基づくバーコードＣ１が形成される。尚、バーコードＣ２を記録媒体に形成する際も、上述と同様にして行う。
【００３８】
このようにして用紙に形成されたバーコードＣ１の画像を図５（ａ）に、バーコードＣ２の画像を図５（ｂ）に示す。この図５に示す画像をバーコードリーダＲ１やバーコードリーダＲ２で読み取った場合、バーコードリーダＲ１、Ｒ２の読み取りスポットＰの高さ方向のサイズ（直径）若しくはバーコードリーダＲ１、Ｒ２の読み取りスポットの照射口（測定開口）よりも、バーＢ１、Ｂ２の幅の変化の周期が小さい為、バーＢ１、Ｂ２の幅は、複数の幅の平均的な値として検出される。
【００３９】
具体的には、図６に示すとおりである。図６は、図２に示すバーコードＣの画像、図５に示すバーコードＣ１、Ｃ２の画像を実際にバーコードリーダで読み取った結果を示すグラフであり、横軸に各バーコードＣ、Ｃ１、Ｃ２を取り、縦軸にバーコードの幅を取って、各バーコードＣ、Ｃ１、Ｃ２とその幅との関係を示している。
【００４０】
この図６に示す様に、図２に示すバーコードＣの幅（４ドット分）が２２０μｍとして検出されたのに対し、図５（ａ）の画像（パターン）では２０５μｍ、図５（ｂ）の画像では１９５μｍと狭い幅として検出された。本実施の形態のプリンタの記録密度が６００ｄｐｉである場合、その１ドットは42.3μｍであるからより細かな段階でのバーＢ１、Ｂ２幅の設定が可能なことが分かる。従って、プリンタの環境変動やトナーの劣化などにより現像特性が変化し、記録されるバーコードＣ１、Ｃ２のバーＢ１、Ｂ２の幅が変化した状態で記録された場合であっても、その影響を受け難くすることができ、結果的に読み取り精度の高いバーコードを記録することができる。
【００４１】
本発明は、上述した実施の形態に限定されず、その用紙を逸脱しない範囲内において、種々の変形が可能である。
【００４２】
例えば、変換部１７によって変換されるバーコードの形状は、上述の実施の形態のバーコードＣ１やバーコードＣ２に限定されず、図８及び図９に示す様な形状に適宜変更可能である。要は、基となるバーコードの長さ方向におけるエッジを構成する画素を適宜間引くことにより、このバーコードのエッジに空白部を形成する様にすれば、上述の実施の形態と同様な作用効果を得る。
【００４３】
図８に示すバーコードＣ３のバーＢ３の基となるバーコードのバーは、縦に複数個並んだ画素が横に連続して５列配置されてなるバーであり、バーＢ３は、基となるバーの一番左側における縦列の画素（バーの左側端を構成する画素）を上から７ドット分間引いてなる空白部Ｅ３１と、この空白部Ｅ３１から下に連続すると共に、基となるバーの一番左側における縦列の画素と、左から二番目の縦列との２列の画素を７ドット分間引いてなる空白部Ｅ３２と、この空白部Ｅ３２から下に連続すると共に、基となるバーの一番左側における縦列の画素を７ドット分間引いてなる空白部Ｅ３３とを有する形状になっている。従って、バーＢ３の幅は、上から７ドットおきに、４ドット、３ドット、４ドット、５ドットとなっている。
【００４４】
このように、図８に示す例では、バーコードＣ３の空白部Ｅ３１〜３３は、その長さが７ドット分であり、バーコードリーダＲ１、Ｒ２の読み取りスポットＰの読み取りスポット高さ（５ドット分）Ｈよりも大きくなる様に形成されている。従って、バーＢ３の複数の幅を、バーコードリーダＲ１、Ｒ２により読み取ることが可能になっている。このため、プリンタの環境変動やトナーの劣化等により現像特性が変化し、用紙等の記録媒体に記録されるバーＢ３の幅が変化しても、バーＢ３の長さ方向の走査場所を変えて、複数回読み取ることにより、読み取り精度の向上を図ることができる。
【００４５】
一方、図９に示すバーコードＣ４のバーＢ４基となるバーコードのバーも、縦に複数個並んだ画素が横に連続して５列配置されてなるバーであり、バーＢ４は、バーコードリーダＲ１、Ｒ２の読み取りスポットＰの読み取り高さよりも大きいと共に、互いに幅の異なる空白部Ｅ４１及びＥ４２と、読み取りスポットＰの読み取り高さよりも小さくなる様に形成されていると共に、互いに幅の異なる空白部Ｅ４３、Ｅ４４及びＥ４５とを有する様に、基となるバーから画素を間引いて形成されている。図９に示す例では、空白部Ｅ４１及びＥ４４が形成されている部分のバーＢ４の幅は３ドット分であり、空白部Ｅ４２、Ｅ４３及びＥ４５が形成されている部分のバーＢ４の幅は４ドット分となっている。この図９の様なバーコードＣ４においても、上述の実施の形態及び図８に示す例と同様な作用効果を奏する。
【図面の簡単な説明】
【００４６】
【図１】本発明の実施の形態に係る画像記録装置を概略的に示す構成図である。
【図２】図１の画像記録装置の記憶部に記憶された画像データの基となるバーコードと読み取りスポットとの関係を示す図である。
【図３】図１の画像記録装置の変換部によって変換された画像データによるバーコードを模式的に示す図である。
【図４】記録媒体にバーコードを記録する際の制御部による制御の流れを示すフローチャートである。
【図５】図１の画像記録装置の変換部によって変換された画像データに基づいて形成された画像を示す図である。
【図６】図２に示すバーコードの画像、図５に示すバーコードの画像を実際にバーコードリーダで読み取った結果を示すグラフである。
【図７】各種バーコードリーダを説明する為の図である。
【図８】変形例に係るバーコードを模式的に示す図である。
【図９】変形例に係るバーコードを模式的に示す図である。
【図１０】ＥＡＮ１２８バーコードを示す図である。
【図１１】図１０のバーコードのバーとスペースとの関係を説明する為の図である。
【符号の説明】
【００４７】
１                画像記録装置
８                感光体ドラム（像担持体）
１５              記憶部
１７              変換部
【図１】
2008201057.tif 000003
【図２】
2008201057.tif 000004
【図３】
2008201057.tif 000005
【図４】
2008201057.tif 000006
【図５】
2008201057.tif 000007
【図６】
2008201057.tif 000008
【図７】
2008201057.tif 000009
【図８】
2008201057.tif 000010
【図９】
2008201057.tif 000011
【図１０】
2008201057.tif 000012
【図１１】
2008201057.tif 000013